(57)【要約】      （修正有）【課題】試料注入バルブを内蔵する複数のクロマトグラフ装置への試料を注入する方法を安価に提供する。【解決手段】試料注入バルブ１０４、試料計量部１０５、移動相ポンプ１０９及び分析カラム１０８を少なくとも備えた液体クロマトグラフ装置が複数並設された液体クロマトグラフシステムであって、測定用の試料を貯留している試料貯留部１０２と、試料貯留部から試料を試料計量部に導入する試料導入部１０３とを備え、試料貯留部と試料導入部は試料注入バルブのそれぞれの異なるポートに流体接続されている。【選択図】図１
2019138740.tif 000002
【特許請求の範囲】
【請求項１】
試料注入バルブ、試料計量部、移動相ポンプ及び分析カラムを少なくとも備えた液体クロマトグラフ装置が複数並設された液体クロマトグラフシステムであって、
測定用の試料を貯留している試料貯留部と、
前記試料貯留部から試料を前記試料計量部に導入する試料導入部とを備え、
前記試料貯留部と前記試料導入部は前記試料注入バルブのそれぞれの異なるポートに流体接続されていることを特徴とする液体クロマトグラフシステム。
【請求項２】
前記試料注入バルブが、前記試料貯留部または前記試料導入部と流体接続されているポート、もしくは前記試料貯留部と流体接続されているポートと前記試料導入部が流体接続されているポートの両方が他のポートと接続されていない位置をとり得ることを特徴とする請求項１に記載の液体クロマトグラフシステム。
【請求項３】
前記試料貯留部が１以上の試料容器と試料吸引部からなることを特徴とする請求項１又は２に記載の液体クロマトグラフシステム。
【請求項４】
前記試料注入バルブと流体接続された試料貯留配管をさらに有することを特徴とする請求項１〜３のいずれかに記載の液体クロマトグラフシステム。
【請求項５】
前記試料貯留配管が前記試料注入バルブと前記試料導入部との間に流体接続されていることを特徴とする請求項４に記載の液体クロマトグラフシステム。
【請求項６】
前記試料注入バルブと流体接続された洗浄液貯留部をさらに有することを特徴とする請求項１〜５のいずれかに記載の液体クロマトグラフシステム。
【請求項７】
前記洗浄液貯留部と前記試料導入部とが流路切り替え部で接続されていることを特徴とする請求項６に記載の液体クロマトグラフシステム。
【請求項８】
試料注入バルブ、試料計量部、移動相ポンプ及び分析カラムを少なくとも備えた液体クロマトグラフ装置が複数並設され、さらに試料貯留部及び試料導入部を備えた液体クロマトグラフシステムを用いた分析方法であって、
特定の前記液体クロマトグラフ装置の前記試料注入バルブを前記試料貯留部と前記試料計量部が通液する位置に切り替え、
その他の前記液体クロマトグラフ装置の前記試料注入バルブを前記試料貯留部または前記試料導入部と接続されているポート、もしくは前記試料貯留部と流体接続されているポートと前記試料導入部が流体接続されているポートの両方が他のポートと接続されていない位置に切り替え、
前記試料貯留部から前記特定の液体クロマトグラフ装置の前記試料計量部に試料を導入し、
前記特定の液体クロマトグラフ装置の前記試料注入バルブを前記試料計量部と前記移動相ポンプが通液する位置に切り替え、
前記移動相ポンプから移動相を流し、前記試料計量部に導入された試料を前記分析カラムに送り、試料を分析することを特徴とする分析方法。
【請求項９】
選択された２以上又は全ての前記液体クロマトグラフ装置の前記試料計量部に試料の導入を順次行っていき、
試料の導入された全ての前記液体クロマトグラフ装置の前記試料注入バルブを前記試料計量部と前記移動相ポンプが通液する位置に切り替え、
前記移動相ポンプから移動相を流し、前記試料計量部に導入された試料を前記分析カラムに送り、試料を分析することを特徴とする請求項８に記載の分析方法。
【発明の詳細な説明】
【技術分野】
【０００１】
本発明は試料注入バルブを少なくとも備えた液体クロマトグラフ装置が複数並設された液体クロマトグラフシステムおよびそのシステムへ試料を注入して分析する方法に関する。
【背景技術】
【０００２】
クロマトグラフは複数成分を含む試料を分析カラムで分離検出し、成分の定量や定性を行う方法である。一般的には、１つの試料容器を試料設置部へ配置し、試料容器中の試料をシリンジポンプなどの試料導入手段を用いて、試料注入バルブに接続されたサンプルループなどの試料計量手段へ試料を導入し、試料計量後に流路切換手段を用いて流路を切り替え、試料を分析カラムに通じる移動相の流体場へ注入することにより分離を行う。同一の試料を２つ以上のクロマトグラフ装置にて測定する場合は、クロマトグラフ装置と同数の試料容器を各クロマトグラフ装置の試料設置部に設置して分析することが一般的である。
【０００３】
一方で、同一の試料について２つ以上の試料容器を準備する手間を削減したい場合、２つ以上の試料容器に分ける際に夾雑物の不均衡が生じるおそれがある場合、試料容器の数が増えることにより積算される試料のデッドボリュームを削減したい場合などは、１つの試料容器から２つ以上のクロマトグラフ装置へ試料を注入する方式を採用することがある。
【０００４】
特許文献１においては、１つの試料導入部を用いて複数のクロマトグラフ装置へ試料注入する技術が公開されている。しかしながら、この技術はグラジエント溶出方式における平衡化への課題として、複数のクロマトグラフ装置で同じ溶出原理を用いることを主眼としたものであって、異なるアイソクラティックな溶出原理を用いる複数のクロマトグラフ装置として当該技術を用いる場合は、溶出原理の異なる複数の移動相を１つの試料導入装置へ通液させる必要があり、試料導入装置と流路切換バルブの接続配管と、試料導入装置、および流路切換バルブから移動相を除去するための有効な流路洗浄手段がなく、当該文献でも開示されていないことにより、１つのクロマトグラフ装置に用いる移動相が、他のクロマトグラフ装置へ混入することで、測定に悪影響を及ぼす可能性がある。
【先行技術文献】
【特許文献】
【０００５】
【特許文献１】特開２００２−１６８８４２号公報
【発明の概要】
【発明が解決しようとする課題】
【０００６】
本発明は、併設された複数の液体クロマトグラフ装置への試料を注入に際して、高価な流路切り替えバルブを追加することなく、確実に試料を注入する液体クロマトグラフシステムを提供するものである。
【課題を解決するための手段】
【０００７】
本発明者は、前記課題を解決すべく鋭意検討を行なった結果、本発明を見出した。
【０００８】
すなわち、本発明は、
試料注入バルブ、試料計量部、移動相ポンプ及び分析カラムを少なくとも備えた液体クロマトグラフ装置が複数並設された液体クロマトグラフシステムであって、
測定用の試料を貯留している試料貯留部と、
前記試料貯留部から試料を前記試料計量部に導入する試料導入部とを備え、
前記試料貯留部と前記試料導入部は前記試料注入バルブのそれぞれの異なるポートに流体接続されていることを特徴とする液体クロマトグラフシステムである。
【０００９】
前記試料注入バルブは、前記試料貯留部または前記試料導入部と流体接続されているポート、もしくは前記試料貯留部と流体接続されているポートと前記試料導入部が流体接続されているポートの両方が他のポートと接続されていない位置をとり得るようにしてもよい。また、前記試料貯留部は１以上の試料容器と試料吸引部から構成されていても良い。
【００１０】
さらに、本発明は、前記試料注入バルブと流体接続された試料貯留配管、洗浄液貯留部を有していてもよい。前記試料貯留配管は、前記試料注入バルブと前記試料導入部との間で流体接続されていてもよい。前記洗浄液貯留部と前記試料導入部とは、流路切り替え部で接続されていてもよい。
【００１１】
また、本発明の別の態様として、
試料注入バルブ、試料計量部、移動相ポンプ及び分析カラムを少なくとも備えた液体クロマトグラフ装置が複数並設され、さらに試料貯留部及び試料導入部を備えた液体クロマトグラフシステムを用いた分析方法であって、
特定の前記液体クロマトグラフ装置の前記試料注入バルブを前記試料貯留部と前記試料計量部が通液する位置に切り替え、
その他の前記液体クロマトグラフ装置の前記試料注入バルブを前記試料貯留部または前記試料導入部と接続されているポート、もしくは前記試料貯留部と流体接続されているポートと前記試料導入部が流体接続されているポートの両方が他のポートと接続されていない位置に切り替え、
前記試料貯留部から前記特定の液体クロマトグラフ装置の前記試料計量部に試料を導入し、
前記特定の前記液体クロマトグラフ装置の前記試料注入バルブを前記試料計量部と前記移動相ポンプが通液する位置に切り替え、
前記移動相ポンプから移動相を送液し、前記試料計量部に導入された試料を前記分析カラムに送り、試料を分析することを特徴とする分析方法が挙げられる。
【００１２】
上述した分析方法は、選択された２以上又は全ての前記液体クロマトグラフ装置の前記試料計量部に試料の導入を順次行っていき、
試料の導入された全ての前記液体クロマトグラフ装置の前記試料注入バルブを前記試料計量部と前記移動相ポンプが通液する位置に切り替え、
前記移動相ポンプから移動相を送液し、前記試料計量部に導入された試料を前記分析カラムに送り、試料を分析してもよい。
【００１３】
以下に、本発明を詳細に説明する。
【００１４】
本発明の液体クロマトグラフシステムは、試料注入バルブ、試料計量部、移動相ポンプ及び分析カラムを少なくとも備えた液体クロマトグラフ装置が複数並設されていることを特徴とする。ここで言う「並設」とは、各クロマトグラフ装置の試料注入バルブが並行流路上に来るように流路を構成していることを指す（図１ａ参照）。並行流路は流路分岐手段を用いて構成すれば問題ない。
【００１５】
さらに、本発明の液体クロマトグラフシステムは、試料貯留部１０２と試料導入部１０３も備えており、並設されたクロマトグラフ装置の試料注入バルブに流体接続されている。
【００１６】
試料貯留部としては、測定用の試料を貯留しておける容器であれば問題はなく、流路として試料吸引部を有していてもよい。試料吸引部としてはニードルが好適に用いられる。
【００１７】
試料導入部としては、圧力の作用によって流体を移動させることが可能なシリンジポンプやプランジャーポンプなどを用いることができる。
【００１８】
液体クロマトグラフ装置の試料注入バルブ１０４は、複数の流路を接続するポートと、複数のポート間を連通させる１以上の流路と回転可能な機構を有するローターを有しており、ローターを回転することにより流路を切り替えることができる。例えば、ポートはそれぞれ、試料計量部１０５の両端（ａ、ｄ）、分析カラム１０８（ｂ）、移動相ポンプ１０９（ｃ）、試料導入部１０３（ｅ）、試料貯留部１０２（ｆ）に繋がるようにした場合、試料計量部１０５に試料を導入する位置であるＬＯＡＤ位置（ｆ−ａ、ｂ−ｃ、ｄ−ｅ）、計量された試料を分析カラムに注入する位置であるＩＮＪ位置（ａ−ｂ、ｃ−ｄ、ｅ−ｆ）、ＬＯＡＤ位置とＩＮＪ位置の途中位置となるＭＩＤ位置へ任意に切り替えが可能である（図１ｂ）。なお、試料注入バルブのポートのうち、ポートｂとポートｃは接続先を入れ替えても問題はなく、ポートｅとポートｆも接続先を入れ替えても問題はない。ローターの流路は、ＭＩＤ位置は全てのポートにおいて連通を遮断し閉塞状態となるような構成としてもよく、移動相ポンプから送液された移動相が閉塞しないような手段を設けてもよく、試料計量手段内部の圧力を大気圧へと解放するための手段を設けてもよい。つまり、ＭＩＤ位置において試料貯留部が接続されているポートｆまたは試料導入部が接続されているポートｅ、もしくはポートｅ、ｆの両方の接続を遮断できていればよく、他のポートの接続状態に特に制限はない。
【００１９】
試料計量部は、試料注入バルブなどの流路切り替えバルブに接続された、規定容量の配管で構成されるサンプルループや濃縮カラム、トラップカラムなどを用いることができる。
【００２０】
移動相ポンプは、カラムを含む流路に移動相を高精度に安定的に送液するために用いる。通常は容易に昇圧可能なプランジャーポンプが用いられるが、分析に支障がなければポンプの形態に制限はない。
【００２１】
分析カラムは、移動相に注入された試料を分離するものである。分析カラムへの不純物が侵入することを防ぐためにガードカラム、あるいはフィルターを併用する場合や、複数の分析カラムを組み合わせて使用する場合もある。分析用途や試料の性状に合わせて選択すればよく、用いる分析カラムに特に制限はない。
【００２２】
本発明の液体クロマトグラフシステムは、さらに試料貯留配管を有していても良い。試料貯留配管とは、試料導入部へ試料が混入することによる試料のキャリーオーバーを防ぐために用いる、ある一定の内部容量を持つ配管を示す。また、試料を試料計量部への吐出により可変量とする場合に、吸引した試料を一時的に保持する役割を持たせてもよい。内部容量は試料を吸引する容量よりも多く確保できれば良い。試料貯留配管に用いる材質としては、試料導入部の圧力の作用による内部容量の変化が少ないＰＥＥＫやＰＴＦＥなどの樹脂や、ＳＵＳ等の金属から構成された配管が好適である。試料貯留配管は、前述の役割を持たせることができれば設置位置に特に限定はないが、前記試料注入バルブと前記試料導入部との間で流体接続されていることが好ましい。
【００２３】
また、本発明の液体クロマトグラフシステムは、さらに洗浄液貯留部を有していても良い。洗浄液としては、超純水、純水、脱イオン水、蒸留水のほか、有機溶媒や有機溶媒を含有する溶液、電離した酸・塩基・塩、及び界面活性剤が含まれる溶液を例示することができる。シリンジポンプやプランジャーポンプなどを用いて、洗浄液を送液することにより、測定への夾雑物の低減や、前回測定した試料によるキャリーオーバーを防止することができる。洗浄液貯留部と試料導入部とは、流路切り替え部で接続されていることが好ましい。
【００２４】
次に、本発明の液体クロマトグラフシステムを用いた分析方法について説明する。
【００２５】
まず、特定の液体クロマトグラフ装置の試料注入バルブを試料貯留部と試料計量部が通液する位置（ＬＯＡＤ位置）に切り替え、その他の液体クロマトグラフ装置の試料注入バルブを試料貯留部、または試料導入部と接続されているポート、もしくは試料貯留部と接続されているポートと試料導入部が接続されているポートの両方が他のポートと接続されていない位置（ＭＩＤ位置）に切り替える。
【００２６】
次に、試料導入部によって試料貯留部から前記特定の液体クロマトグラフ装置の試料計量部に試料を導入する。
【００２７】
次に、前記特定の液体クロマトグラフ装置の試料注入バルブを試料計量部と移動相ポンプが通液する位置（ＩＮＪ位置）に切り替え、移動相ポンプから移動相を流し、試料計量部に導入された試料を分析カラムに送り、試料を分析する。
【００２８】
なお、試料導入手段により試料を流路中で移動させる場合に、洗浄液と試料が流路中で界面接触し、拡散や混合することによる測定再現性の悪化、および試料への夾雑による悪影響を無くすために、試料吸引前後のいずれか、あるいは両方のタイミングで、大気や不活性ガス等の気体を挟んでもよい。
【００２９】
液体クロマトグラフシステムにおいて、選択された２以上又は全ての液体クロマトグラフ装置の試料注入バルブに注入する場合、特定の液体クロマトグラフ装置の試料注入バルブを試料貯留部と試料計量部が通液する位置（ＬＯＡＤ位置）に切り替え、その他の液体クロマトグラフ装置の試料注入バルブを試料貯留部または試料導入部と接続されているポート、もしくは試料貯留部と接続されているポートと試料導入部が接続されているポートの両方が他のポートと接続されていない位置（ＭＩＤ位置）に切り替える工程を順次行っていけば問題ない。
【００３０】
必要な試料注入バルブへの注入が全て終了後、試料の導入された全ての液体クロマトグラフ装置の試料注入バルブを試料計量部と移動相ポンプが通液する位置（ＩＮＪ位置）に切り替え、移動相ポンプから移動相を送液し、試料計量部に導入された試料を分析カラムに送り、試料を分析する。試料導入時にＬＯＡＤ位置とした試料注入バルブ以外の試料注入バルブが接続された配管が陰圧状態になることにより、流路洗浄に用いた液体が試料に混入するのを防ぐため、試料導入する試料注入バルブ以外が接続された配管にあらかじめ試料を導入することで混入を避けることができる。この時の各配管へ導入する試料量に制限はないが、試料注入量と同程度とするとよく、さらに望ましくは液体クロマトグラフ装置毎に導入する試料量を設定可能とすることである。
【発明の効果】
【００３１】
本発明により、併設された複数の液体クロマトグラフ装置への試料を注入に際して、高価な流路切り替えバルブを追加することなく、確実に注入を実施することが可能となった。
【図面の簡単な説明】
【００３２】
【図１】試料注入バルブを並列に接続した流路を示した例である。
【図２】実施例１で用いたクロマトグラフシステムの構成図である。
【図３】実施例２で用いたクロマトグラフシステムの構成図である。
【図４】実施例３で用いたクロマトグラフシステムの構成図である。
【実施例】
【００３３】
以下、実施例を用いて本発明をさらに詳細に説明するが、本発明はこれらの内容に限定されるものではない。
【００３４】
（実施例１）
本発明の方法を、図２に示すクロマトグラフ装置構成を用いて表１に示す流れで実施した。
【００３５】
流路切り替えバルブ２０９を洗浄液容器２１１側に切り替えた状態で、シリンジポンプ２１０を駆動することにより、洗浄液容器２１１から洗浄液を吸引した。流路切り替えバルブ２０９を試料吸引部２０２側に切り替えた状態で、試料注入バルブ１０４ＡをＩＮＪ位置、試料注入バルブ１０４ＢをＭＩＤ位置とし、シリンジポンプ２１０を駆動し洗浄液を吐出することにより、試料注入バルブ１０４Ａに接続された流路および試料吸引部２０２を洗浄した。その後、試料注入バルブ１０４ＡをＭＩＤ位置、試料注入バルブ１０４ＢをＩＮＪ位置とし、シリンジポンプ２１０を駆動し洗浄液を吐出することにより、試料注入バルブ１０４Ｂに接続された流路および試料吸引部２０２を洗浄した。
【００３６】
次に、流路切り替えバルブ２０９を試料吸引部２０２側に切り替えた状態で、シリンジポンプ２１０を駆動することにより、試料注入バルブ１０４ＡをＭＩＤ位置、試料注入バルブ１０４ＢをＩＮＪ位置にして、試料容器２０１から試料吸引部２０２を通じて試料を試料注入バルブ１０４Ｂ側の配管へ一定量吸引した。次に、試料注入バルブ１０４ＡをＬＯＡＤ位置、試料注入バルブ１０４ＢをＭＩＤ位置とし、試料を吸引すると、流路分岐ブロック２０３Ａを通過した試料は、試料注入バルブ１０４Ａの方にのみ通液し、試料注入バルブ１０４Ａに接続されたサンプルループ１０５Ａにて計量される。次に、試料注入バルブ１０４ＡをＭＩＤ位置、試料注入バルブ１０４ＢをＬＯＡＤ位置とし、試料を吸引すると、流路ブロック２０３Ａを通過した試料は、試料注入バルブ１０４Ｂの方にのみ通液し、試料注入バルブ１０４Ｂに接続されたサンプルループ１０５Ｂにて計量される。
【００３７】
サンプルループ１０５Ａ、１０５Ｂにて試料の計量が完了した後、試料注入バルブ１０４Ａ、１０４ＢをＩＮＪ位置とし、移動相２０８Ａ、２０８Ｂをプランジャーポンプ１０９Ａ、１０９Ｂにて送液することで、サンプルループ１０５Ａ、１０５Ｂで計量された試料をカラム１０８Ａ、１０８Ｂへ送り、測定を開始した。
【００３８】
測定を開始した後に、再び流路洗浄を行い、試料を吸引するという流れを繰り返すことで、２つの試料注入バルブへの注入動作を繰り返し実施することが可能となる。
【００３９】
【表１】
2019138740.tif 000003
【００４０】
（実施例２）
本発明の方法を、図３に示すクロマトグラフ装置構成を用いて表２に示す流れで実施した。
【００４１】
流路切り替えバルブ３０９を洗浄液容器３１１側に切り替えた状態で、シリンジポンプ３１０を駆動することにより、洗浄液容器３１１から洗浄液を吸引した。流路切り替えバルブ３０９を試料吸引部３０２側に切り替えた状態で、試料注入バルブ１０４ＡをＩＮＪ位置、試料注入バルブ１０４ＢをＭＩＤ位置とし、シリンジポンプ３１０を駆動し洗浄液を吐出することにより、試料注入バルブ１０４Ａに接続された流路、および試料吸引部３０２を洗浄した。その後、試料注入バルブ１０４ＡをＭＩＤ位置、試料注入バルブ１０４ＢをＩＮＪ位置とし、シリンジポンプ３１０を駆動し洗浄液を吐出することにより、試料注入バルブ１０４Ｂに接続された流路、および試料吸引部３０２を洗浄した。
【００４２】
次に、流路切り替えバルブ３０９を試料吸引部３０２側に切り替えた状態で、シリンジポンプ３１０を駆動することにより、試料注入バルブ１０４ＡをＭＩＤ位置、試料注入バルブ１０４ＢをＩＮＪ位置にして、試料容器３０１から試料吸引部３０２を通じて試料を試料注入バルブ１０４Ｂ側の配管へ一定量吸引した。次に、試料注入バルブ１０４ＡをＩＮＪ位置、試料注入バルブ１０４ＢをＭＩＤ位置とし、試料を吸引すると、流路分岐ブロック３０３Ａを通過した試料は、試料注入バルブ１０４Ａの方にのみ通液し、試料注入バルブ１０４Ａに接続された試料貯留配管３１２Ａに貯留される。次に、試料注入バルブ１０４ＡをＭＩＤ位置、試料注入バルブ１０４ＢをＩＮＪ位置とし、試料を吸引すると、流路ブロック３０３Ａを通過した試料は、試料注入バルブ１０４Ｂの方にのみ通液し、試料注入バルブ１０４Ｂに接続された試料貯留配管３１２Ｂに貯留される。
【００４３】
試料貯留配管３１２Ａ、３１２Ｂへ試料を導入した後、試料注入バルブ１０４ＡをＬＯＡＤ位置、試料注入バルブ１０４ＢをＭＩＤ位置とし、シリンジポンプ３１０を駆動することにより試料貯留配管３１２Ａに貯留された試料を、試料注入バルブ１０４Ａに接続されたサンプルループ１０５Ａに吐出することにより試料が計量される。次に、試料注入バルブ１０４ＡをＭＩＤ位置、試料注入バルブ１０４ＢをＬＯＡＤ位置とし、シリンジポンプ３１０を駆動することにより試料貯留配管３１２Ｂに貯留された試料を、試料注入バルブ１０４Ｂに接続されたサンプルループ１０５Ｂに吐出することにより試料が計量される。なお、試料吐出の際にシリンジポンプの駆動によって吐出される試料量を制御することにより、サンプルループ１０５Ａ、１０５Ｂに導入する試料量を可変とすることができる。
【００４４】
サンプルループ１０５Ａ、１０５Ｂにて試料の計量が完了した後、試料注入バルブ１０４Ａ、１０４ＢをＩＮＪ位置とし、移動相３０８Ａ、３０８Ｂをプランジャーポンプ１０９Ａ、１０９Ｂにて送液することで、サンプルループ１０５Ａ、１０５Ｂで計量された試料をカラム１０８Ａ、１０８Ｂへ送り、測定を開始した。
【００４５】
測定を開始した後に、再び流路洗浄を行い、試料を吸引するという流れを繰り返すことで、２つの試料注入バルブへの注入動作を繰り返し実施することが可能となる。
【００４６】
【表２】
2019138740.tif 000004
【００４７】
（実施例３）
本発明の方法を、図４に示すクロマトグラフ装置構成を用いて、表３に示す流れで２つの試料をそれぞれ別の試料注入バルブを用いて注入する例を示す。
【００４８】
流路切り替えバルブ４０９を洗浄液容器４１１側に切り替えた状態で、シリンジポンプ４１０を駆動することにより、洗浄液容器４１１から洗浄液を吸引した。流路切り替えバルブ４０９を試料吸引部４０２側に切り替えた状態で、試料注入バルブ１０４ＡをＩＮＪ位置、試料注入バルブ１０４ＢをＭＩＤ位置とし、シリンジポンプ４１０を駆動し洗浄液を吐出することにより、試料注入バルブ１０４Ａに接続された流路、および試料吸引部４０２を洗浄した。その後、試料注入バルブ１０４ＡをＭＩＤ位置、試料注入バルブ１０４ＢをＩＮＪ位置とし、シリンジポンプ４１０を駆動し洗浄液を吐出することにより、試料注入バルブ１０４Ｂに接続された流路、および試料吸引部４０２を洗浄した。
【００４９】
次に、流路切り替えバルブ４０９を試料吸引部４０２側に切り替えた状態で、シリンジポンプ４１０を駆動することにより、試料注入バルブ１０４ＡをＭＩＤ位置、試料注入バルブ１０４ＢをＩＮＪ位置にして、試料容器４０１Ａから試料吸引部４０２を通じて試料を試料注入バルブ１０４Ｂ側の配管へ一定量吸引した。次に、試料注入バルブ１０４ＡをＬＯＡＤ位置、試料注入バルブ１０４ＢをＭＩＤ位置とし、試料を吸引すると、流路分岐ブロック４０３Ａを通過した試料は、試料注入バルブ１０４Ａの方にのみ通液し、試料注入バルブ１０４Ａに接続されたサンプルループ１０５Ａにて計量される。サンプルループ１０５Ａで試料計量後に試料注入バルブ１０４ＡをＩＮＪ位置とし、試料容器４０１Ａの試料の測定を開始した。
【００５０】
その後、再び流路洗浄を実施し、流路切り替えバルブ４０９を試料吸引部４０２側に切り替えた状態で、シリンジポンプ４１０を駆動することにより、試料注入バルブ１０４ＡをＩＮＪ位置、試料注入バルブ１０４ＢをＭＩＤ位置にして、試料を試料注入バルブ１０４Ａ側の配管へ一定量引き込み、試料容器４０１Ｂから試料吸引部４０２を通じて試料を吸引した。試料注入バルブ１０４ＡをＭＩＤ位置、試料注入バルブ１０４ＢをＬＯＡＤ位置とし、試料を吸引すると、流路分岐ブロック４０３Ａを通過した試料は、試料注入バルブ１０４Ｂの方にのみ通液し、試料注入バルブ１０４Ｂに接続されたサンプルループ１０５Ｂにて計量される。サンプルループ１０５Ｂで試料計量後に試料注入バルブ１０４ＢをＩＮＪ位置とし、試料容器４０１Ｂの試料の測定を開始した。
【００５１】
２つの試料を測定開始した後に、再び流路洗浄を行い、試料を吸引するという流れを繰り返すことで、２つの試料注入バルブへの試料注入動作を、選択的に繰り返し実施することが可能となる。
【００５２】
【表３】
2019138740.tif 000005
【符号の説明】
【００５３】
１０２．試料貯留部
１０３．試料導入部
１０４．試料注入バルブ
１０５．試料計量部
１０８．分析カラム
１０９．移動相ポンプ
２０１、３０１、４０１．試料容器
２０２、３０２、４０２．試料吸引部
２０３、３０３、４０３．流路分岐ブロック
２０８、３０８、４０８．移動相
２０９、３０９、４０９．流路切り替えバルブ
２１０、３１０、４１０．シリンジポンプ
２１１、３１１、４１１．洗浄液容器
３１２．試料貯留配管
【図１】
2019138740.tif 000006
【図２】
2019138740.tif 000007
【図３】
2019138740.tif 000008
【図４】
2019138740.tif 000009